(57)【要約】【課題】極めて簡単な構成により、しかも操作者の好む任意の拡大率に無段階で簡単に調整できる拡大表示装置を備えた電気機器を提供することを目的とする。【解決手段】電気機器１の表示部１１である液晶ディスプレイの画面に対応したレンズ部３と、枠体７に装着され前記レンズ部３を無段階的に上下に昇降させるスライド部４とからなり、前記レンズ部３の表示部１１までの距離を調整できるようにした拡大表示装置２を、前記電気機器１に着脱可能に取付けて形成する。【選択図】図３
2005010587.tif 000002
【特許請求の範囲】
【請求項１】
電気機器の表示部である液晶ディスプレイの画面に対応したレンズ部と、テーパー状のスライド辺を備え、前記レンズ部を無段階的に上下に昇降させるスライド部と、操作軸の一端に前記スライド部のスライド辺をスライドするように嵌装された滑車状の昇降部を、他端に把手を有する操作棒と、前記スライド部の上下移動を案内するガイド溝および前記操作棒の操作軸を貫装する貫通孔を有する枠体とからなり、前記操作軸の左右移動に伴って前記昇降部を左右に移動するように形成し、前記レンズ部の表示部までの距離を調整できるようにした拡大表示装置を、前記電気機器の表示部に着脱可能に取付けてなることを特徴とする電気機器。
【請求項２】
電気機器の表示部である液晶ディスプレイの画面に対応したレンズ部と、枠体に装着され前記レンズ部を無段階的に上下に昇降させるスライド部とからなり、前記レンズ部の表示部までの距離を調整できるようにした拡大表示装置を、前記電気機器に着脱可能に取付けてなることを特徴とする電気機器。
【請求項３】
電気機器の表示部である液晶ディスプレイの画面に対応したレンズ部と、テーパー状のスライド辺を備え、前記レンズ部を無段階的に上下に昇降させるスライド部と、操作軸の外周に形成された雄ネジ部に係合する雌ネジ部を有する昇降部およびこの操作軸の他端に設けられた回転用操作ハンドルを備えた操作棒と、前記スライド部の上下移動を案内するガイド溝および前記操作棒の操作軸を貫装する貫通孔を有する枠体とからなり、前記操作軸の回転に伴って前記昇降部を左右に移動するように形成し、前記レンズ部の表示部までの距離を調整できるようにした拡大表示装置を、前記電気機器の表示部に着脱可能に取付けてなることを特徴とする電気機器。
【請求項４】
断面Ｌ字型の一片に前記レンズ部を、他片に前記スライド部を合成樹脂により一体的に形成してなることを特徴とする請求項１乃至請求項３に記載の電気機器。
【請求項５】
前記枠体に形成された貫通孔と前記操作軸との摩擦係数を大きくしたことを特徴とする請求項１に記載の電気機器。
【請求項６】
前記枠体に形成された貫通孔内面にゴムを貼り付けたことを特徴とする請求項１または請求項４に記載の電気機器。
【発明の詳細な説明】
【０００１】
【発明の属する技術分野】本発明は、電気機器例えば、レーザープリンタなどの表示部である液晶ディスプレイの画面の前面に装着し、前記レーザープリンタなどの電気機器を操作する際、前記表示部を拡大した状態で目視して操作できるようにした拡大表示装置に関し、特に無段階で拡大できるようにしたものである。
【０００２】
【従来の技術】一般に、レーザープリンタなどの電気機器を操作するための操作方法やエラーメッセージなどを表示する表示部は、液晶ディスプレイが用いられている。
【０００３】このような液晶ディスプレイは、サイズ的な制限から表示される文字が小さくなり、高齢者や弱視者には見え難く、誤操作の原因となっていた。さらに、この種電気機器にあっても、小型軽量化が要求されることからこのような傾向が問題となってきた。
【０００４】ところで、上述の点を考慮して従来では、例えば拡大表示装置として、本体に固定された液晶パネルと、この液晶パネルに平行に対向配置された拡大レンズと、この拡大レンズを前記本体に対して昇降可能に支持する支軸と、この支軸に係合して前記拡大レンズを複数の位置に係止する係止手段と、この係止手段を前記支軸に係合する方向に付勢する付勢手段と、この付勢手段に坑して前記係止手段の前期支軸への係合を解除する係合解除手段を設けたものがある（例えば、特許文献１参照）。
【０００５】
【特許文献１】
実開昭６４―１３０２８号公報
【０００６】
【発明が解決しようとする課題】しかし、前述の特許文献１記載の構成では、支軸に複数の切欠きを設け、拡大レンズを複数の位置に係止するようにしており、自ずとレンズの拡大率は切欠きに応じた段階的な倍率のみとなり、操作者の好む任意の拡大率には設定できないといった不都合がある他、コイルバネ、板バネなどを用いて付勢手段や係止解除手段を形成しており、その構成が極めて煩雑となる、などといった課題がある。
【０００７】本発明は、上述した問題を解決するためになされたものであり、極めて簡単な構成により、しかも操作者の好む任意の拡大率に無段階で簡単に調整できる拡大表示装置を備えた電気機器を提供することを目的とする。
【０００８】
【課題を解決するための手段】かかる目的を達成するため、請求項１記載の発明では、電気機器の表示部である液晶ディスプレイの画面に対応したレンズ部と、テーパー状のスライド辺を備え、前記レンズ部を無段階的に上下に昇降させるスライド部と、操作軸の一端に前記スライド部のスライド辺をスライドするように嵌装された滑車状の昇降部を、他端に把手を有する操作棒と、前記スライド部の上下移動を案内するガイド溝および前記操作棒の操作軸を貫装する貫通孔を有する枠体とからなり、前記操作軸の左右移動に伴って前記昇降部を左右に移動するように形成し、前記レンズ部の表示部までの距離を調整できるようにした拡大表示装置を、前記電気機器の表示部に着脱可能に取付けて形成する。
【０００９】請求項１記載の発明の構成によれば、電気機器の表示部である液晶ディスプレイの画面を、操作棒を操作するのみで極めて簡単に無段階的に拡大率を調整することができるので、電気機器を操作する操作者に適した拡大率を設定することができる他、拡大表示装置が取外し可能であるので、本体機器である電気機器側に殊更加工を施す必要がない。従って、拡大表示装置のみを準備すれば、既設の電気機器にも即利用できる。
【００１０】請求項２記載の発明では、電気機器の表示部である液晶ディスプレイの画面に対応したレンズ部と、枠体に装着され前記レンズ部を無段階的に上下に昇降させるスライド部とからなり、前記レンズ部の表示部までの距離を調整できるようにした拡大表示装置を、前記電気機器に着脱可能に取付けて形成する。
【００１１】請求項２記載の発明の構成によれば、電気機器の表示部である液晶ディスプレイの画面の拡大率を、無段階的に調整することができるので、電気機器を操作する操作者に適した拡大率を設定することができる他、拡大表示装置が取外し可能であるので、本体機器である電気機器側に殊更加工などを施す必要がない。従って、拡大表示装置のみを準備すれば、既設の電気機器にも即利用できるなどといった効果を奏する。
【００１２】請求項３記載の発明では、電気機器の表示部である液晶ディスプレイの画面に対応したレンズ部と、テーパー状のスライド辺を備え、前記レンズ部を無段階的に上下に昇降させるスライド部と、操作軸の外周に形成された雄ネジ部に係合する雌ネジ部を有する昇降部およびこの操作軸の他端に設けられた回転用操作ハンドルを備えた操作棒と、前記スライド部の上下移動を案内するガイド溝および前記操作棒の操作軸を貫装する貫通孔を有する枠体とからなり、前記操作軸の回転に伴って前記昇降部を左右に移動するように形成し、前記レンズ部の表示部までの距離を調整できるようにした拡大表示装置を、前記電気機器の表示部に着脱可能に取付けて形成する。
【００１３】請求項３記載の発明の構成によれば、操作棒を回転操作するのみで極めて簡単に電気機器の表示部である液晶ディスプレイの画面の拡大率を、無段階的に調整することができるので、電気機器を操作する操作者に適した拡大率を設定することができる他、拡大表示装置が取外し可能であるので、本体機器である電気機器側に殊更加工を施す必要がない。従って、拡大表示装置のみを準備すれば、既設の電気機器にも即利用できるなどといった効果を奏する。
【００１４】請求項４記載の発明では、断面Ｌ字型の一片に前記レンズ部を、他片に前記スライド部を合成樹脂により一体的に形成する。
【００１５】請求項４記載の発明の構成によれば、レンズ部とスライド部とが一体成形であり、部品点数が少なくなり、かつ、組立工数も削減できるので、安価となり好ましい。
【００１６】請求項５記載の発明では、前記枠体に形成された貫通孔と前記操作軸との摩擦係数を大きく形成する。
【００１７】請求項５記載の発明の構成によれば、拡大率を調整する際、操作棒の位置決めが極めて安定するので、好ましい。
【００１８】請求項６記載の発明では、前記枠体に形成された貫通孔内面にゴムを貼り付けて形成する。
【００１９】請求項６記載の発明の構成によれば、内面にゴムを貼り付けるのみで、拡大率を調整する際、操作棒の位置決めが極めて簡単な構成で安定するので、好ましい。
【００２０】
【発明の実施の形態】以下、本発明の実施の形態を図１乃至図７に基づき説明する。
【００２１】図１は、本発明の一実施の形態によるレーザープリンタからなる電気機器の概略構成を示す斜視図、図２は、図１に取外し可能に取付けられた拡大表示装置の概略構成を示す上面図、図３および図４は、図２に示す拡大表示装置の概略構成を示す一部断面正面図で、図３は、拡大率が最小近傍の状態を、また図４は、拡大率が最大近傍の状態を示す。図５は、同じく図２に示す拡大表示装置の一部を拡大した一部断面側面図、図６は、図２に示す拡大表示装置の一部を拡大した要部断面図、図７は、レンズ部とスライド部とを一体成形した例を示す斜視図である。
【００２２】１は、例えばレーザープリンタなどの電気機器で、その本体の上面には、例えば操作方法やエラーメッセージを表示する液晶ディスプレイからなる表示部１１が設けられている。１２は、電気機器を操作する操作ボタン、２は、前記表示部１１の前面に例えば両面テープ、マジックテープ、ネジ式あるいは係合式などの手段により取外し可能に装着された拡大表示装置である。
【００２３】前記拡大表示装置２は、前記電気機器１の液晶ディスプレイからなる表示部１１の画面に対応した、例えば周知の平板状のフレンネルレンズなどからなるレンズ部３と、テーパー状のスライド辺４１を備え、前記レンズ部３を支持し無段階的に上下に昇降させるスライド部４と、操作軸５１の一端に前記スライド部４のスライド辺４１をスライドするように嵌装された滑車状の昇降部６を、他端に把手５２を有する操作棒５と、前記スライド部４の端部４２が嵌装されその上下移動を案内するガイド溝７１および前記操作棒５の操作軸５１を貫装する貫通孔７２を有する枠体７とから構成されている。
【００２４】前記滑車状の昇降部６は、例えば図５に示すように一対の車輪６１−６１間に円筒状の連結軸６２が設けられ、前記車輪６１−６１の間にスライド部４のスライド辺４１が嵌装され、そのスライド辺４１が前記円筒状の連結軸６２の上面に接するように、また前記車輪６１は、枠体７に形成されたレール７３上を左右に移動（図３矢印Ａ参照）できるように配設されている。
【００２５】次に、このように構成された拡大表示装置２の動作を説明する。拡大表示装置２を、前記電気機器１の表示部１１の前面に、例えば両面粘着テープで着脱可能に取付け、操作棒５の把手５２を握り、この操作棒５を例えば図３において、紙面右側から左方向に移動すると、前記操作棒５の左方向への移動に伴って前記昇降部６は、レール７３上を左方向に移動し、この移動につれて昇降部６の連結軸６２の上面とテーパー状のスライド辺４１との接触位置が左側に順次シフトし、スライド部４が前記ガイド溝７１により案内されて上昇する。従って、スライド部４に支持されたレンズ部３も上昇し、図４に示すように前記レンズ部３の表示部１１までの距離を大きくして拡大率を調整することができる。
【００２６】以上のような実施の形態では、電気機器１の表示部１１である液晶ディスプレイの画面を、操作棒５を操作するのみで極めて簡単に無段階的に拡大率を調整することができるので、電気機器１を操作する操作者に適した拡大率を設定することができる他、拡大表示装置２が取外し可能であるので、本体機器である電気機器１側に殊更加工を施す必要がない。従って、拡大表示装置２のみを準備すれば、既設の電気機器１にも即利用できる。
【００２７】なお、前記レンズ部３とスライド部４とを例えば、図７に示すように断面Ｌ字型の一片に前記レンズ３部を、他片に前記スライド部４を合成樹脂により一体的に形成してもよいのは勿論である。このようにすれば、レンズ部とスライド部とが一体成形であり、部品点数が少なくなり、かつ、組立工数も削減できるので、安価となり好ましい。
【００２８】また、前記枠体７に形成された貫通孔７２と前記操作軸５１との摩擦係数を大きくするために、例えば貫通孔７２内面にゴム７３を貼り付けてもよいのは勿論である。このようにすれば、操作棒５を操作して拡大率を調整する際、適度な摩擦が得られ、その位置決めが極めて安定するので、都合がよい。
【００２９】次に、図８および図９に示す本発明の他の実施の形態について説明する。なお、図８において図１乃至図７と同じ符号を付した部分は略同一のものを示す。以下相違点を中心に説明する。
【００３０】図８は、拡大表示装置の概略構成を示す一部断面正面図で、拡大率が最小近傍の状態を示す。図９は、図８に示す拡大表示装置の一部を拡大して示す断面側面図である。
【００３１】この形態では、前記操作棒５を回転式にしたもので、操作軸５１の外周に雄ネジ部５３を形成するとともに、この操作軸５１の一端が枠体７に回転可能に図示しない軸受けなどにより係止され、他端側が貫通孔７２を貫通して枠体７の外側に導出されるとともに、その端部に回転用の操作ハンドル５４が設けられ、この操作ハンドル５４の回転に伴って前記操作軸５１が正逆回転できるように形成されている。操作棒５には、この操作棒５の操作軸５１を貫通し、前記雄ネジ部５３に螺合する雌ネジ部６３を有する昇降部６が配設され、前述した実施態様のもの同様、この昇降部６にスライド部４のスライド辺４１が嵌装され、そのスライド辺４１が昇降部６の凹部６４の上面に接するように形成されている。
【００３２】次に、このように構成された拡大表示装置２の動作を説明する。前述の実施の形態と同様、操作棒５の操作ハンドル５４を回転すればこれに伴って、前記操作軸５１が回転し、雄ネジ部５３に螺合する雌ネジ部６３を有する昇降部６は、例えば時計回りに回転すれば、左方向に移動し、この移動につれて昇降部６の凹部６４の上面とテーパー状のスライド辺４１との接触位置が左側に順次シフトし、スライド部４が前記ガイド溝７１により案内されて上昇する。従って、スライド部４に支持されたレンズ部３も上昇し、前記レンズ部３の表示部１１までの距離を大きくして拡大率を調整することができる。
【００３３】このような構成の実施の形態では、前述の実施の形態と同様、電気機器１の表示部１１である液晶ディスプレイの画面を、操作棒５を回転操作するのみで極めて簡単に無段階的に拡大率を調整することができるので、電気機器１を操作する操作者に適した拡大率を設定することができる他、拡大表示装置２が取外し可能であるので、本体機器である電気機器１側に殊更加工を施す必要がない。従って、拡大表示装置２のみを準備すれば、既設の電気機器１にも即利用できる。更に、前述の実施の形態のものに比べ、操作棒５を左右に移動する必要がないので、スペース的に小型化が図れるなどといった効果を奏する。
【００３４】なお、上述した各実施の形態は、本発明の好適な実施の形態の例であるが、これに限定されるものではなく、本発明の要旨を逸脱しない範囲において、種々変形実施可能である。
【００３５】
【発明の効果】以上説明したように、請求項１記載の発明によれば、電気機器の表示部である液晶ディスプレイの画面を、操作棒を操作するのみで極めて簡単に無段階的に拡大率を調整することができるので、電気機器を操作する操作者に適した拡大率を設定することができる他、拡大表示装置が取外し可能であるので、本体機器である電気機器側に殊更加工を施す必要がない。従って、拡大表示装置のみを準備すれば、既設の電気機器にも即利用できる、などという効果を奏する。
【００３６】また、請求項２記載の発明では、電気機器の表示部である液晶ディスプレイの画面の拡大率を、無段階的に調整することができるので、電気機器を操作する操作者に適した拡大率を設定することができる他、拡大表示装置が取外し可能であるので、本体機器である電気機器側に殊更加工などを施す必要がない。従って、拡大表示装置のみを準備すれば、既設の電気機器にも即利用できるなどといった効果を奏する。
【００３７】また、請求項３記載の発明では、操作棒を回転操作するのみで極めて簡単に電気機器の表示部である液晶ディスプレイの画面の拡大率を、無段階的に調整することができるので、電気機器を操作する操作者に適した拡大率を設定することができる他、拡大表示装置が取外し可能であるので、本体機器である電気機器側に殊更加工を施す必要がない。従って、拡大表示装置のみを準備すれば、既設の電気機器にも即利用できるなどといった効果を奏する。
【００３８】また、請求項４記載の発明では、レンズ部とスライド部とが一体成形であり、部品点数が少なくなり、かつ、組立工数も削減できるので、安価となり好ましい。
【００３９】また、請求項５記載の発明では、拡大率を調整する際、操作棒の位置決めが極めて安定するので、好ましい。
【００４０】更には、請求項６記載の発明では、内面にゴムを貼り付けるのみで、拡大率を調整する際、操作棒の位置決めが簡単な構成で安定するので、好ましい。
【図面の簡単な説明】
【図１】本発明の一実施の形態によるレーザープリンタからなる電気機器の概略構成を示す斜視図である。
【図２】図１に取外し可能に取付けられた拡大表示装置の概略構成を示す上面図である。
【図３】図２に示す拡大表示装置の概略構成を示す一部断面正面図で、拡大率が最小近傍の状態を示す。
【図４】同じく図２に示す拡大表示装置の概略構成を示す一部断面正面図で、拡大率が最大近傍の状態を示す。
【図５】同じく図２に示す拡大表示装置の一部を拡大した断面側面図である。
【図６】図２に示す拡大表示装置の一部を拡大した要部断面図である。
【図７】レンズ部とスライド部とを一体成形した例を示す斜視図である。
【図８】本発明の他の実施の形態による拡大表示装置の概略構成を示す一部断面正面図で、拡大率が最小近傍の状態を示す。
【図９】図８に示す拡大表示装置の一部を拡大して示す断面側面図である。
【符号の説明】
１    電気機器
１１  表示部
２    拡大表示装置
３    レンズ部
４    スライド部
４１  スライド辺
４２  端部
５    操作棒
５１  操作軸
５２  把手
５３  雄ネジ部
５４  回転ハンドル
６    昇降部
６３  雌ネジ部
７    枠体
７１  ガイド溝
７２  貫通孔
７３  ゴム
【図１】
2005010587.tif 000003
【図２】
2005010587.tif 000004
【図３】
2005010587.tif 000005
【図４】
2005010587.tif 000006
【図５】
2005010587.tif 000007
【図６】
2005010587.tif 000008
【図７】
2005010587.tif 000009
【図８】
2005010587.tif 000010
【図９】
2005010587.tif 000011